(57)【要約】【課題】鳥類の習性を利用して、風車の周囲に、風車の回転軸に対して斜め方向に複数のワイヤを数段に亘って張り巡らすとともに、各ワイヤに複数の発光体を取り付けることにより、簡単かつ低コストな構造で、鳥類が風車に飛来して衝突するのを防止することにある。【解決手段】風車の周囲に、３本以上の支柱を立設し、該支柱間に、風車の回転軸に対して斜め方向に複数のワイヤを張り巡らすことによって、鳥類の飛来に対する遮蔽物を形成したことによって、鳥類の飛来に対する遮蔽物を形成した。【選択図】    図１
2006288254.tif 000002
【特許請求の範囲】
【請求項１】
風車の周囲に、３本以上の支柱を立設し、該支柱間に、風車の回転軸に対して斜め方向に複数のワイヤを張り巡らすことによって、鳥類の飛来に対する遮蔽物を形成したことを特徴とする鳥類飛来防止装置。
【請求項２】
前記ワイヤは、隣接するワイヤ間隔を３０ｃｍ〜７０ｃｍとし、好ましくは５０ｃｍとした請求項１に記載の鳥類飛来防止装置。
【請求項３】
前記ワイヤは、風車の回転軸に対して３０度〜４５度の方向に張り巡らした請求項１又は２に記載の鳥類飛来防止装置。
【請求項４】
前記ワイヤは、風車の上部にも張り巡らすようにした請求項１ないし３のいずれかに記載の鳥類飛来防止装置。
【請求項５】
前記ワイヤには、複数の軸回転型風車を取り付け、該軸回転型風車の翼を回転させつつ、前記翼の表面で日光を乱反射するようにした請求項１ないし４のいずれかに記載の鳥類飛来防止装置。
【発明の詳細な説明】
【技術分野】
【０００１】
本発明は、海岸などに設置された風車に鳥類が飛来して風車に衝突するのを防止するための鳥類飛来防止装置に関する。
【背景技術】
【０００２】
近年、エネルギ対策の一環として環境に優しい風力発電が注目され、海岸などの風のよく吹くところに多数の風車が設置されるようになった。
【０００３】
ところで、海岸などで風のよく吹くところは、風力発電には適しているが、鳥類にとっても上昇したり旋回したりするのに大切な場所である。近年、鷲や鷹などの大型の鳥が、風車に衝突して死んでいるという報道がなされ、動物保護団体などから風力発電に対する非難の声があがっている。
【０００４】
そのため、鳥類が風車に飛来して衝突する事故を回避するための方策が、種々検討されている。例えば、風車の周囲にテープなどの障害物を数段に亘って水平に張り、テープ表面で日光を反射させたり鈴などの振動によって警告音を発生させて、鳥類に恐怖心を与えて風車に衝突するのを回避するものが知られている。
【０００５】
しかし、このような方策は、テープなどを張設するためのコストを比較的安くすることができる反面、海岸などのように、風雨に晒される厳しい環境のため、テープなどに破損を生じやすく、また鳥類に与える警戒心も弱く、鳥類の衝突防止策としては、ほとんど効果がなかった。
【０００６】
そのため、例えば特許文献１に示すように、図５において、複数枚の羽根板５１で風車５２を形成し、支軸５３に回転自在に支持するとともに、羽根板５１に瞬発的に光を発する発光体５４を取り付けたものが提案される。
【０００７】
【特許文献１】特開２００２−１０１８０５号公報
【発明の開示】
【発明が解決しようとする課題】
【０００８】
この従来の装置は、発光体５４から発する光によって、鳥類の視神経を刺激し、鳥類の飛来を防止するようにしたものである。ところが、発光体５４からの発光だけでは、鳥類に一時的な刺激を与えることはできても、鳥類の学習効果による慣れのため、鳥類の衝突防止策としては効果がなかった。
【０００９】
そこで、風車の周囲に、大規模な遮蔽ネットを張り巡らし、鳥類の飛来を回避する方策が考えられる。しかし、遮蔽ネットでは、風車に対して圧力損失が大きく、風力発電量の低下を招き、また、遮蔽ネットの設備も相当大掛かりなものになってしまい、設置費用や保守費用などに大きなコストが掛かってしまうという問題があって、本質的な解決策ではなかった。
【００１０】
そこで、本発明の目的は、上記諸点に鑑み、鳥類の習性を利用して、風車の周囲に、風車の回転軸に対して斜め方向に複数のワイヤを数段に亘って張り巡らすとともに、各ワイヤに複数の発光体を取り付けることにより、簡単かつ低コストな構造で、鳥類が風車に飛来して衝突するのを防止することにある。
【課題を解決するための手段】
【００１１】
本発明の前記目的は、風車の周囲に、３本以上の支柱を立設し、該支柱間に、風車の回転軸に対して斜め方向に複数のワイヤを張り巡らすことによって、鳥類の飛来に対する遮蔽物を形成したことにより、達成される。
【００１２】
また、前記目的は、隣接するワイヤ間隔を３０ｃｍ〜７０ｃｍとし、好ましくは５０ｃｍとしたことにより、達成される。
【００１３】
また、前記目的は、ワイヤを、風車の回転軸に対して３０度〜４５度の方向に張り巡らしたことにより、達成される。
【００１４】
また、前記目的は、ワイヤを風車の上部にも張り巡らすようにしたことにより、達成される。
【００１５】
また、前記目的は、ワイヤに、複数の軸回転型風車を取り付け、該軸回転型風車の翼を回転させつつ、前記翼の表面で日光を乱反射するようにしたことにより、達成される。
【発明の効果】
【００１６】
以上のように、本発明の鳥類飛来防止装置によると、風車の周囲に、３本以上の支柱を立設して、該支柱間に、風車の支軸に対して斜め方向に複数のワイヤを所定の間隔で張り巡らしただけの構造であり、設置が容易で低コストに設置することができる。また、鳥類が風車に接近しても、ワイヤが鳥類の浸入を邪魔して風車への衝突を確実に防止することができる。その際、隣接するワイヤ間隔を３０ｃｍ〜７０ｃｍとしたので、風車に対する圧力損失もなく、風力発電量に影響を与えず、また、鷲や鷹などの大型の鳥類の浸入を確実に阻止することができる。特に、ワイヤは、風車の支軸に対して斜め方向、すなわち３０度〜４５度の角度範囲で張られるため、風車の上空で旋回した後でないと風車に侵入しないという鳥類の習性を利用し、風車に鳥類が飛来して衝突するのを効果的に防止することができる。さらに、ワイヤには、発光体である軸回転型風車を取り付けたので、発光体が風車の回転とともに回転移動する。そのため、仮に鳥類が飛来して風車に照準を定めても、移動する発光によってワイヤを認識し、風車への衝突をより一層効果的に防止することができる。
【発明を実施するための最良の形態】
【００１７】
以下、本発明の実施形態を図面に基づいて詳細に説明する。
【００１８】
図１は、本発明の一実施形態に係る鳥類飛来防止装置１を風車２に取り付けた様子を示す。この風車２は、海岸などで風のよく吹く場所に設置される垂直軸型風車であり、風力による風車の回転力を利用して、発電するようになっている。この風車２には、垂直方向に延びる回転軸３に直交する面内で同一半径の円周方向に沿って４枚のブレード４、４・・・が回転軸３に平行に配されている。
【００１９】
また、飛来防止装置１は、図２および図３に示すように、風車２の周囲に４本の支柱５が地上から立設されていて、支柱５、５間には、複数の側部ワイヤ６ａによって遮蔽面７が形成されている。また、風車２の上部には、遮蔽面７と同様に、複数の上部ワイヤ６ｂによって遮蔽面８が形成されていて、風車２は、側方にも上方にも遮蔽面７、８によって完全に遮蔽されている。よって、鳥類が風車２に衝突するのを確実に防止することができる。
【００２０】
また、側部および上部ワイヤ６ａ、６ｂは、それぞれ約１ｍｍ径のピアノ線などの高強度材料からなり、側部ワイヤ６ａは、回転軸３に対して、斜め方向であって３０度ないし４５度の範囲で延びている。隣接する側部ワイヤ６ａ、６ａは、３０ｃｍから７０ｃｍの間隔、好ましくは５０ｃｍの間隔で平行に張り巡らされている。風力発電で使用する風車の場合、１ｍｍ径のワイヤ間に３０ｃｍ以上の隙間があれば、風車に対する圧力損失は、ほとんど無視できるほどの値になり、７０ｃｍ以下の隙間であれば、鷲や鷹などの大型の鳥類が、側部ワイヤ６ａの隙間から侵入するのが困難になる。特に、ワイヤ６ａは、回転軸３に対して３０度ないし４５度の範囲で斜め方向に延びるので、鳥類は、水平に飛行した後、風車近辺で旋回して態勢を傾斜しなければならず、効果的に衝突を回避することができる。
【００２１】
また、側部および上部ワイヤ６ａ、６ｂには、所定の間隔、例えば１ｍ程度の間隔で複数の発光体としての軸回転型風車９が係止具１０によって取り付けられている。この軸回転型風車９は、図４に示すように、回転軸としての側部ワイヤ６ａに直交する面内で同一半径の円周方向に沿って、アルミ合金やプラスチック（ＦＲＰを含む）などからなる４枚の翼型のブレード１１、１１・・・がワイヤ６に平行に配されている。このブレード１１は、滑らかな表面になっていて、風を受けて回転すると、表面で日光を乱反射して光を発するようになっている。すなわち、鳥類が風車に照準を当てて飛来しても、軸回転型風車９のブレード１１によって複数の移動する光を認識する。これにより、鳥類は、動くものや光るものに対して嫌う習性があるため、鳥類が風車に衝突するのを防止することができる。
【００２２】
また、本発明の鳥類飛来防止装置は、４本の支柱を地上から立設して、これに複数のワイヤを張り巡らしただけであるので、足場の悪いところでも、簡単に設置することができる。
【００２３】
なお、前記実施形態では、鳥類飛来防止装置に４本の支柱を用いた例を挙げたが、これに限られず、支柱は、３本以上あればよく、前記実施形態と同様の作用および効果を奏する。
【図面の簡単な説明】
【００２４】
【図１】本発明に係る鳥類飛来防止装置を風車に設置した状態を説明する図である。
【図２】風車の周囲に鳥類飛来防止装置が設置された状態を示す正面図である。
【図３】図２の状態を上方から眺めた平面図である。
【図４】ワイヤに軸回転型風車を取り付けた状態を説明する図である。
【図５】従来の鳥類飛来防止装置を説明する図である。
【符号の説明】
【００２５】
１          鳥類飛来防止装置
２          風車
４          回転軸
５          支柱
６ａ        側部ワイヤ
６ｂ        上部ワイヤ
９          軸回転型風車
１１        ブレード
【図１】
2006288254.tif 000003
【図２】
2006288254.tif 000004
【図３】
2006288254.tif 000005
【図４】
2006288254.tif 000006
【図５】
2006288254.tif 000007